【事件の表示】
　特許第６６１３１３９号発明「インクジェット用インクセット、それを用いたインクジェットプリント物の製造方法およびインクジェットプリント物」の特許異議申立事件について、次のとおり決定する。
【結　論】
　特許第６６１３１３９号の請求項１ないし８に係る特許を維持する。
【理　由】
第１　手続の経緯
　特許第６６１３１３９号の請求項１〜８に係る特許についての出願は、２０１４年（平成２６年）９月１８日（優先権主張　平成２５年９月２７日、日本国）を国際出願日とする出願であって、令和元年１１月８日にその特許権の設定登録がされ、同年１１月２７日に特許掲載公報が発行された。その後、請求項１〜８に係る特許に対し、令和２年５月１５日に特許異議申立人河合幸信（以下、「申立人」という。）が、特許異議の申立てを行った。
第２　本件発明
　特許第６６１３１３９号の請求項１〜８の特許に係る発明（以下、「本件発明１」〜「本件発明８」などという。）は、それぞれ、その特許請求の範囲の請求項１〜８に記載された事項により特定される次のとおりのものである。
「【請求項１】
　無機顔料と溶媒とを含むインクからなり、
　前記無機顔料は、黄色成分と、赤色成分と、青色成分と、黒色成分とを含み、
　前記黄色成分は、ジルコンプラセオジウムイエローを含み、
　前記赤色成分は、クロムスズマロンを含み、
　前記青色成分は、コバルトアルミクロムブルーを含み、
　前記黒色成分は、コバルトフェライトブラックを含み、
　前記無機顔料は、前記インクに対して２０〜５０重量％含まれており、
　前記溶媒は、有機溶剤であり、かつ、水を含んでおらず、
　前記黄色成分は黄色インクに含まれ、前記赤色成分は赤色インクに含まれ、前記青色成分は青色インクに含まれ、前記黒色成分は黒色インクに含まれる、インクジェット用インクセット。
【請求項２】
　前記有機溶剤は、有機溶剤中０．０１〜５０重量％の合成樹脂を含む、請求項１記載のインクジェット用インクセット。
【請求項３】
　前記インクの表面張力は、２０〜３０ｍＮ／ｍである、請求項１または２記載のインクジェット用インクセット。
【請求項４】
　前記インクの表面張力は、２２〜２７ｍＮ／ｍである、請求項１または２記載のインクジェット用インクセット。
【請求項５】
　無機顔料と溶媒とを含むインクからなり、
　前記無機顔料は、黄色成分と、赤色成分と、青色成分と、黒色成分とを含み、
　前記黄色成分は、ジルコンプラセオジウムイエローを含み、
　前記赤色成分は、クロムスズマロンを含み、
　前記青色成分は、コバルトアルミクロムブルーを含み、
　前記黒色成分は、コバルトフェライトブラックを含む、インクジェット用インクセット。
【請求項６】
　請求項１〜５のいずれか１項に記載のインクジェット用インクセットを用いてインクジェット方式にて無機質基材上に画像を形成した後、焼成する、インクジェットプリント物の製造方法。
【請求項７】
　インクジェット用インクセットのインクは、０．０１〜２００ｇ／ｍ２の範囲で無機質基材上に付与される、請求項６記載のインクジェットプリント物の製造方法。
【請求項８】
　請求項１〜５のいずれか１項に記載のインクジェット用インクセットのインクが付与されたインクジェットプリント物。」
第３　申立理由の概要
　申立人は、下記３の甲第１〜９号証を提出し、次の１及び２の点について主張している（以下、甲号証は、単に「甲１」などと記載する。）。
　１　同法第２９条第２項
　本件発明１〜８は、甲１に記載された発明、甲６に記載された発明、甲３に記載された発明及び甲１〜９の記載に基いて、出願前に当業者が容易に想到し得る発明であるから、本件発明１〜８は、同法第２９条第２項の規定により特許を受けることができないものであり、同法第１１３条第２号に該当し、取り消されるべきものである。
　２　特許法第２９条第１項第３号
　本件発明５は、甲１に記載された発明と同一であるから、本件発明５は、同法第２９条第１項第３号の規定により特許を受けることができないものであり、同法第１１３条第２号に該当し、取り消されるべきものである。
　３　甲１〜９
　甲１：特開２００４−２６３１７６号公報
　甲２：社団法人窯業協会編、「セラミックス辞典」、丸善株式会社、昭和６１年１月２５日、ｐ．１１１、ｐ．４０５、ｐ．４４１
　甲３：特開２００３−１２９７２号公報
　甲４：特開平３−３３１７２号公報
　甲５：特開２００６−８３３１２号公報
　甲６：特開２００８−２７３８０８号公報
　甲７：特開２００５−１７０７０５号公報
　甲８：国際公開第２００７／０２０７７９号
　甲９：特開２００５−３５０３２７号公報
第４　甲１、２、３、６の記載
　１　甲１には、次の記載がある。
　（１）「【請求項１】
　無機顔料を色材とするインクからなるインクジェット用インクセットであって、該インクセットの赤色成分がゴールドパープルからなるマゼンタインク及びカドミウムレッドからなるレッドインクの少なくとも２色のインクを含むことを特徴とするインクジェット用インクセット。
【請求項２】
　無機顔料を色材とするインクからなるインクジェット用インクセットであって、該インクセットの赤色成分がゴールドパープルからなるマゼンタインク及びカドミウムレッドからなるレッドインクであり、かつイエローインク及びシアンインクを含む少なくとも４色のインクからなることを特徴とするインクジェット用インクセット。
【請求項３】
　前記イエローインクがカドミウムイエロー、前記シアンインクがコバルトアルミニウムクロムブルーからなるインクであることを特徴とする請求項２記載のインクジェット用インクセット。
【請求項４】
　無機顔料を色材とするインクからなるインクジェット用インクセットであって、該インクセットの赤色成分がゴールドパープルからなるマゼンタインク及びカドミウムレッドからなるレッドインクであり、かつカドミウムイエローからなるイエローインク、コバルトアルミニウムクロムブルーからなるシアンインク、及び、ブラックインクを含む少なくとも５色のインクからなることを特徴とするインクジェット用インクセット。
【請求項５】
　前記ブラックインクがコバルトフェライトブラックからなるインクであることを特徴とする請求項４記載のインクジェット用インクセット。」
　（２）「【技術分野】
【０００１】
　本発明は無機顔料を色材とするインクからなるインクジェット用インクセット、それを用いたインクジェット記録方法及び記録物に関する。更に詳しくは、耐光性、鮮明性、階調性に優れ、広い色域の表現が可能であり、かつ基材を選ばずに着色することができる無機顔料のインクジェット用インクセット、それを用いたインクジェット記録方法及び記録物に関する。」
　（３）「【発明が解決しようとする課題】
【００１９】
　本発明の目的は上記した従来技術の問題点を解決することにあり、特に無機顔料を色材とするインクジェット用インクセットであって、鮮明性に優れ焼成時においても変色、消色することなく、更に中間色を表現可能でより広い色域をもつ画像を得ることを可能とするインクジェット用インクセット、それを用いたインクジェット記録方法及び記録物を提供することにある。
【課題を解決するための手段】
【００２０】
　本発明者等は上記の目的を達成するために鋭意努力した結果、赤色成分の無機顔料を２色装備し、他色は特定の無機顔料を選択しインクセットとして使用することによって、画像の鮮明性に優れ、色域が広く、階調性に非常に優れたものとなることを見いだし、焼成した後に於いても変色、消色することなく中間色を表現することが可能なことを見出し、本発明を完成させるに至った。
【００２１】
　すなわち、本発明は、無機顔料を色材とするインクからなるインクジェット用インクセットであって、該インクセットの赤色成分がゴールドパープルからなるマゼンタインク及びカドミウムレッドからなるレッドインクの少なくとも２色のインクを含むことを特徴とするインクジェット用インクセットに存する。」
　（４）「【発明を実施するための最良の形態】
【００３１】
　以下、本発明について、更に詳細に説明する。
　本発明で使用する色材は無機顔料であり、具体的には金属、金属酸化物又は金属塩からなる。これらは熱、光に対して安定である反面、その構造から色表現に乏しく、酸化・還元により分解しやすい性質がある。
（中略）
【００４２】
　具体的には、イエローとして採用できる無機顔料は、鉛アンチモンイエロー、黄鉛１０Ｇ、黄５Ｇ、黄鉛Ｇ、黄鉛、カドミウムイエロー、黄色酸化鉄、強化型黄色酸化鉄、オーカー、チタンイエロー、チタンバリウムニッケルイエロー、バナジウムスズイエロー、バナジウムジルコニウムイエロー、プラセオジムイエロー、クロムチタンイエロー、アンチモンチタンクロムイエロー、アンチモンチタンイエロー等が挙げられるが、カドミウムイエローが好ましい。
【００４３】
　なお、本発明でのカドミウムイエローには、硫化カドミウムと硫化亜鉛との複合塩、硫化カドミウムと硫酸バリウムとの複合塩、硫化カドミウムと硫化亜鉛と硫酸バリウムとの複合塩、また硫化カドミウムを珪酸ジルコニウム等でコーティングされた珪酸ジルコニウムカドミウムインクルージョンイエローなども含まれる。
【００４４】
　また、シアンとして採用できる無機顔料は、紺青、コバルトブルー、群青、セルリアンブルー、コバルトアルミニウムクロムブルー等が挙げられるが、コバルトアルミニウムクロムブルーが好ましい。」
　（５）「【００４８】
　ブラックとして採用できる無機顔料は、具体的には、ランプブラック、ファーネスブラック、チャコールブラック、アイボリーブラック、黒鉛、鉄黒、マンガンフェライトブラック、コバルトフェライトブラック、銅クロムブラック、銅クロムマンガンブラック等が挙げられるが、コバルトフェライトブラックが好ましい。他色と混ぜ合わせて焼成した場合も消色や変色がないためである。」
　（６）「【００５３】
　本発明で使用されるインク組成物中の無機顔料、又は無機顔料及びガラスフリット、又は上絵の具を分散させる媒体は水、有機溶剤、ワックス、又はそれらの混合物などが挙げられ、特に限定されない。」
　（７）「【００７３】
　次に、本発明について実施例をあげて説明するが、本発明は、必ずしもこの実施例に限定されるものではない。
【実施例１】
【００７４】
　以下の処方で各無機顔料毎にインクを配合し、ボールミル分散機を用いて分散した。その後濾過によって不純物除去し、均一な無機顔料インクを作成した。
【００７５】
　〔インクの処方〕
　無機顔料　　　　　　　　ｘ重量％
　フリット：１２−３５６７（有鉛透明：日本フェロー社製）　　１０重量％
　分散剤：キャリボン　Ｂ（ポリカルボン酸型活性剤：三洋化成社製）　１重量％
　湿潤剤：ポリエチレングリコール４００（日本油脂社製）　　１０重量％
　純水　　　　　　　　残り　
　計　　　　　　　　１００重量％
【００７６】
　《無機顔料》
　Ｙ（イエロー）：カドミウムイエロー　　　　１０重量％
　Ｍ（マゼンタ）：ゴールドパープル　　　　２重量％
　Ｃ（シアン）：コバルトアルミニウムクロムブルー　　１０重量％
　Ｒ（レッド）：カドミウムレッド　　　　１０重量％
　Ｋ（ブラック）：コバルトフェライトブラック　　　１０重量％」
　（８）「【００８１】
　〔評価内容〕
　得られた記録物について、評価を以下のように行った。
（１）鮮明性
　記録物の色を目視で判定した。
　　○：顔料の色を損なうことなく、鮮明に表現されている。
　　△：顔料の色がややくすみ、やや鮮明性に欠ける。
　　×：色が著しくくすみ、鮮明でない。
　評価インク（単色）
　　記録インク：Ｍ、Ｒ（計２色）
　　インク付与量：１０ｎｌ／ｍｍ２
　評価結果を表１に示す。
【００８２】
（２）変色感
　記録物の色を目視で判定した。
　　○：評価柄の色に、変色、消色は認められず、忠実な中間色である。
　　△：評価柄の色がやや変色または消色している。
　　×：評価柄の色が明らかに変色または消色している。
　評価インク（混合色）
　　記録インク：Ｙ＋Ｒ、Ｙ＋Ｍ、Ｍ＋Ｒ、Ｒ＋Ｃ、Ｍ＋Ｃ（計５組）
　　インク付与量：１０ｎｌ／ｍｍ２
　評価結果を表２に示す。
【００８３】
（３）中間色表現
　記録物の色を目視で判定しオレンジ、パープル、グリーンなどの中間色が表現されているかどうか確認した。
　　○：中間色が高濃度、高彩度で表現されている。
　　△：中間色が表現されているが、彩度がやや低く色が多少くすんでいる。
　　×：中間色の彩度が低く色のくすみが強いため、色表現に劣る。
　評価インク（中間色）
　　オレンジ色記録インク：（例えばＹ＋Ｒ、Ｙ＋Ｍ）
　　パープル色記録インク：（例えばＲ＋Ｃ、Ｍ＋Ｃ）
　　グリーン色記録インク：（例えばＹ＋Ｃ、Ｇ）
　　インク付与量：５、１０、２０、４０ｎｌ／ｍｍ２（計４×４モード）
　評価結果を表２に示す。
【００８４】
（４）柄表現
　柄作成（ＪＩＳ−Ｘ９２０１　Ｎ３画像）
　　記録インク：各実施例記載の全インク
　評価結果を表２に示す。」
　（９）「【実施例２】
【００８５】
　使用するインクのＹをプラセオジムイエローにする以外は実施例１と同様に記録物を作成し、評価を行った。
　Ｙ（イエロー）：プラセオジムイエロー　　　　１０重量％」
　（１０）「【００８７】
比較例１
　使用する無機顔料の赤成分をマゼンタインクのみに変更する以外は実施例１と同様に記録物を作成し、評価を行った。
【００８８】
比較例２
　マゼンタインクとしてクロムスズピンク、レッドインクとしてベンガラを使用した。その他の工程は実施例１に準じた。」
　（１１）「【００８９】
【表１】
【００９０】
【表２】
　　　　　　　　　　　　　　　　　　　　　　　　　　　　　」
　２　甲２には、次の記載がある。
　（１）クロムスズピンク[chrome-sphene pink; chrome-tin pink]の項（１１１頁）
「スフェーンのＣａＯＴｉＯ２ＳｉＯ２のＴｉ４＋をＳｎ４＋で置換したスズスフェーンというべきＣａＯＳｎＯ２ＳｉＯ２にＣｒが固溶したピンク色顔料．ＳｎＯ２，ＳｉＯ２，ＣａＣＯ３，Ｎａ２Ｂ４Ｏ７・１０Ｈ２Ｏ，Ｋ２Ｃｒ２Ｏ７を配合，焼成温度は１２００℃．濃い紫味赤から紫味ピンクの色が得られる石灰釉で使用できるが，石灰亜鉛釉では不安定である．」
　（２）「プラセオジム　き　−黄 [Praseodymium-zircon yellow]」の項（４０５頁）
「ＺｒＳｉＯ４にＰｒの固溶した黄色顔料．ＺｒＯ２，ＳｉＯ２にＰｒ６Ｏ１１と鉱化剤を加え焼成するか，ＺｒＳｉＯ４をアルカリなどで溶融後，Ｐｒ６Ｏ１１を加え再度ＺｒＳｉＯ４にする製法がある．とくに石灰−亜鉛釉での呈色がよい，また他の顔料との混色が広く可能である．」
　３　甲３には、次の記載がある。
　（１）「【請求項１】　顔料および熱可塑性メジウムを含有する熱可塑性カラーペーストを用いてインクジェット方式により直接的または間接的に印刷して固体材料表面に画像形成する工程を含み、該熱可塑性カラーペーストが、顔料、ガラスフリットおよびその他のガラス形成成分から選択される無機固体を１質量％以上３０質量％未満含有することを特徴とする画像形成方法。」
　（２）「【０００７】
【発明が解決しようとする課題】本発明の目的は、無機顔料やガラスフリット等の無機固体を含有するカラーペーストを用い、インクジェット方式による画像形成方法を提供することにある。本発明の他の目的は、無機固体を含有するペーストを使用して、インクジェット方式により焼成可能な材料、例えばガラス、エナメル、磁器およびその他のセラミック材料に対する画像形成方法を提供することにある。」
　（３）「【００２３】
【実施例】以下に本発明の実施例について説明するが、本発明の実施の態様はこれらに限定されない。印刷のために、インクジェット印刷用のヘッド及びインク供給部としてはPhaser（登録商標）３４０を用い、画像形成すべき対象物を移動するＸ−Ｙテーブルおよび制御ユニットを有する装置を使用した。インクジェット印刷ヘッド、インク供給部では、溶融したカラーペーストを循環させることができるように相互に接続した。
【００２４】実施例で使用した熱可塑性メジウムは、パラフィンワックス４０質量％、ステアリン酸アミド４５質量％、モンタン酸エステルワックス（ヘキストワックスＥ、ヘキスト製）１０質量％、アジピン酸エステル５質量％からなっていた。
【００２５】（熱可塑性ペースト〇１（当審注：「〇１」は〇の中に１。以下、同様。）の作成）無機顔料としてダイピロキサイド　ブルー（大日精化製。Ｃｏ-Ａｌ複合酸化物顔料）２０ｇを１―メトキシ−２−プロパノール８０ｇ中に分散した。分散は分散用ビーズとして０．３ｍｍのジルコニアビーズを用いディーミル（アイメックス社製）で行った。得られた分散液５０ｇに上記メジウム４０ｇを加えたのち、エバポレーターを用いて溶媒を流去した。得られた分散物のＴＥＭ（透過型電子顕微鏡）写真から平均粒子径を求めたところ０．３μｍであった。
（熱可塑性ペースト〇２の作成）熱可塑性ペーストの作成において無機顔料のかわりにガラスフリットを使用する以外は同様にして行った平均粒子径は０．２μｍであった。
（熱可塑性ペースト〇３の作成）熱可塑性ペーストの作成において無機顔料１４ｇ及びガラスフリット１４ｇを用い、１―メトキシ−２−プロパノールを７２g使用する以外は同様にして行った。平均粒子径は０．３μｍであった。
（熱可塑性ペースト〇４の作成）熱可塑性ペーストの作成において無機顔料を６０ｇ使用し、１―メトキシ−２−プロパノールを４０g使用する以外は同様にして行った。平均粒子径は１．５μｍであった。」
　（４）「【００２９】さらに画像形成〇３において上記ブルー以外に異なった色（マゼンタ、黄および黒）の無機顔料に変更し、色毎に繰り返し印字するか又はインク供給系を別にし各色同時にフルカラーの印字を行い優れた画像を得ることができた。」
　４　甲６には、次の記載がある。
　（１）「【請求項２】
　セラミック基材の表面に釉薬を掛け、釉の表面に顔料を含むインクを用いたインクジェット印刷によって、絵付けを施した後、焼成する加飾セラミック体の製造方法において、
　該インクがフリットを配合していないフリットフリーインクであり、
　該顔料の粒径が５０００ｎｍ以下であることを特徴とする加飾セラミック体の製造方法。」
　（２）「【００３３】
［インクジェット用インク］
　インクジェット用の絵の具インクとしては、微粉砕された赤、黄、青及び黒の各顔料をそれぞれ分散剤によって分散させた、フリットを含まない赤、黄、青及び黒のインクを用いる。未焼成釉薬層に吹き付けられたインク中の顔料が釉薬層中に浸透し易いものとするために、各顔料は、粒径が５０００ｎｍ以下特に５０〜５０００ｎｍとりわけ５０〜１０００ｎｍ、さらに好ましくは８０〜５００ｎｍとなるように微粉砕されることが望ましい。」
【００３４】
　なお、顔料の平均粒径が未焼成釉薬層の平均気孔径の１／３以下であると、顔料粒子が未焼成釉薬層中に十分に浸透し易いものとなる。
【００３５】
　顔料としては、金属酸化物系顔料を用いる。赤色用の金属酸化物系顔料としては、酸化クロム−酸化スズ系顔料が好適であり、特に
　Ｃｒ２Ｏ３　１３〜２１ｗｔ％
　ＳｎＯ２　　３５〜５５ｗｔ％
　ＳｉＯ２　　１５〜３０ｗｔ％
　ＣａＯ　　１６〜３０ｗｔ％
　ＴｉＯ２　　０〜８ｗｔ％
であるものが好適である。この酸化クロム−酸化スズ系顔料は、上記組成の釉薬上に塗着されて約１１４０〜１２６０℃程度の高温で焼成されることにより、彩やかな赤色を呈する。
【００３６】
　黄色用金属酸化物顔料としては、酸化クロム−酸化アンチモン系顔料が好適であり、特に
　Ｃｒ２Ｏ３　１〜５ｗｔ％
　Ｓｂ２Ｏ３　３〜１０ｗｔ％
　ＳｉＯ２　　０〜１０ｗｔ％
　ＴｉＯ２　　７５〜９５ｗｔ％
であるものが好適である。
【００３７】
　なお、ルチル型酸化チタン、酸化ウラン、ジルコンバナジウム、ジルコンプラセオジウムなども用いることができる。
【００３８】
　青色用金属酸化物顔料としては、酸化コバルト、酸化銅、コバルト・アルミナなどを用いることができる。
【００３９】
　黒色用金属酸化物顔料としては、酸化イリジウム、酸化鉄、酸化ウラニウム、酸化コバルト、酸化クロム、酸化マンガン、クロム鉄酸化物などの混合物を用いることができる。
【００４０】
　なお、上記顔料は一例であり、上記以外の顔料を用いてもよい。
（中略）
【００４３】
　分散剤としては、アニオン、カチオン、ノニオン及び両性の界面活性剤いずれかを適宜選択して使用できる。例えばポリカルボン酸塩、アクリル酸塩、ドデシルベンゼンスルホン酸塩、アルキルスルホコハク酸塩、ポリオキシエチレンアルキルエーテルなどを用いることが望ましい。インクには、その他、必要に応じ、グリセリン、ポリエチレングリコールなど多価アルコール類、メタノール、エタノールなどエタノール類、エトキシブトキシエーテルのエーテル類などの各種水溶性有機溶媒、ドデシルベンゼンスルホン酸塩などの各種界面活性剤などを添加し、湿潤性、粘性、表面張力などのレオロジーを調整する。」
　（３）「【００６１】
［試験３］
(1)　各色インクの作製　
　顔料コバルトアルミナ２０部、水６０部、クラウド型分散剤２０部を混合し、ビーズミルで顔料の平均粒径が１５０ｎｍとなるよう粉砕混合した。このインクに、粘性調整剤としてグリセリン、表面張力調整剤としてダイノールを加えて、粘性２５ｃｐ、表面張力３５ｍＮ／ｍ、コバルトアルミナの濃度１２％の青色インクを作製した。
【００６２】
　クロム錫顔料２０部、水６０部、アニオン分散剤２０部を混合し、ビーズミルで顔料の平均粒径が１５０ｎｍとなるよう粉砕混合した。このインクに、粘性調整剤としてグリセリン、表面張力調整剤としてダイノールを加えて、粘性２５ｃｐ、表面張力３５ｍＮ／ｍ、クロム錫顔料の濃度１２％の赤色インクを作製した。
【００６３】
　チタンクロムアンチモン顔料２０部、水６０部、アニオン分散剤２０部を混合し、ビーズミルで顔料の平均粒径が１５０ｎｍとなるよう粉砕混合した。このインクに、粘性調整剤としてグリセリン、表面張力調整剤としてダイノールを加えて、粘性２５ｃｐ、表面張力３５ｍＮ／ｍ、チタンクロムアンチモンの濃度１２％の黄色インクを作製した。
【００６４】
　クロム鉄顔料２０部、水６０部、アニオン分散剤２０部を混合し、ビーズミルで顔料の平均粒径が１５０ｎｍとなるよう粉砕混合した。このインクに、粘性調整剤としてグリセリン、表面張力調整剤としてダイノールを加えて、粘性２５ｃｐ、表面張力３５ｍＮ／ｍ、クロム鉄顔料の濃度１２％の黒色インクを作製した。」
　（４）「【００７９】
　特に、図１の通り、青色インクの顔料に含まれるＣｏ元素は、釉薬層の表面から３０μｍ程度までの極めて表面に近い領域において、極めて高濃度に存在していた。また、図４及び図７の通り、黒色インクの顔料に含まれるＣｏ、Ｆｅ及びＭｎ元素は、釉薬層の表面から５０μｍ程度までの極めて表面に近い領域に、極めて高濃度に存在していた。」
第５　甲１、甲３及び甲６に記載された発明（甲１発明、甲３発明及び甲６発明）
　１　甲１発明
　甲１には、請求項１（第４　１（１））に記載された「インクジェット用インクセット」について、その具体例である「実施例１」（【００７４】〜【００７６】（同（７））において、「各無機顔料毎にインクを配合し、・・・無機顔料インクを作成した」（【００７４】（同（７）））ことが記載され、実施例２（【００８５】（同（９））では、実施例１の「インクのＹ」に含まれる無機顔料を「プラセオジムイエロー」にしたことが記載されている。
　そうすると、甲１の実施例２には、【００７６】（同（７））に記載された５つの無機顔料をそれぞれ含む「Ｙ（イエロー）インク」、「Ｍ（マゼンタ）インク」、「Ｃ（シアン）インク」、「Ｒ（レッド）インク」及び「Ｋ（ブラック）インク」からなる、次のインクジェット用インクセット（以下、「甲１発明」という。）が記載されていると認められる。
　なお、【００７５】（同（７））のインクの処方における「フリット：１２−３５６７（有鉛透明：日本フェロー社製）、１０重量％、分散剤：キャリボン　Ｂ（ポリカルボン酸型活性剤：三洋化成社製）　１重量％、湿潤剤：ポリエチレングリコール４００（日本油脂社製）　１０重量％、純水　残り」は、いずれのインクでも共通し、単に「フリット、分散剤、湿潤剤及び純水」と記載した。
「Ｙ（イエロー）インク：プラセオジムイエロー　１０重量％、及び、フリット、分散剤、湿潤剤及び純水からなるＹ（イエロー）インク、
　Ｍ（マゼンタ）インク：ゴールドパープル　２重量％、及び、フリット、分散剤、湿潤剤及び純水からなるＭ（マゼンタ）インク、
　Ｃ（シアン）インク：コバルトアルミニウムクロムブルー　１０重量％、及び、フリット、分散剤、湿潤剤及び純水からなるＣ（シアン）インク、
　Ｒ（レッド）インク：カドミウムレッド　１０重量％、及び、フリット、分散剤、湿潤剤及び純水からなるＲ（レッド）インク、並びに、
　Ｋ（ブラック）インク：コバルトフェライトブラック　１０重量％、及び、フリット、分散剤、湿潤剤及び純水からなるＫ（ブラック）インク、からなるインクジェット用インクセット」
　２　甲３発明
　甲３の請求項１（第４　３（１））から、甲３には、「インクジェット方式に用いられる顔料及び熱可塑性メジウムを含有する熱可塑性カラーペースト」が記載されているといえる。
　また、【００２９】（同（４））には、「ブルー以外に異なった色（マゼンタ、黄および黒）の無機顔料に変更し、色毎に繰り返し印字するか又はインク供給系を別にし各色同時にフルカラーの印字を行い優れた画像を得ることができた」ことが記載されており、【０００７】（同（２））の記載から、請求項１の「顔料」とは「無機顔料」のことであり、「熱可塑性カラーペースト」は「インク」のことであり、黄、マゼンタ、ブルー及び黒の各成分は、それぞれ、黄、マゼンタ、ブルー及び黒の無機顔料を含み、各「熱可塑性カラーペースト」は、「黄色インク」、「赤色インク」、「青色インク」及び「黒色インク」といえるものである。
　そうすると、甲３には、
「無機顔料及び熱可塑性メジウムを含有する熱可塑性カラーペーストのインクからなり、
　無機顔料は、黄成分、マゼンタ成分、ブルー成分及び黒成分とを含み、
　黄成分は黄色インクに含まれ、前記マゼンタ成分は赤色インクに含まれ、前記ブルー成分は青色インクに含まれ、前記黒成分は黒色インクに含まれる、インクジェット用インクセット。」（以下、「甲３発明」という。）が記載されていると認められる。
　３　甲６発明
　甲６の【００３３】（第４　４（２））には、インクジェット用インクについて、微粉砕された赤、黄、青及び黒の各顔料をそれぞれ分散剤によって分散させた、フリットを含まない赤、黄、青及び黒のインクを用いることが記載されている。
　また、同【００３５】（同）には、赤色用の金属酸化物系顔料として、酸化クロム−酸化スズ系顔料、同【００３６】（同）には、黄色用金属酸化物顔料として、酸化クロム−酸化アンチモン系顔料を、同【００３８】（同）には、青色用金属酸化物顔料として、酸化コバルト、酸化銅、コバルト・アルミナを、同【００３９】（同）には、黒色用金属酸化物顔料として、酸化イリジウム、酸化鉄、酸化ウラニウム、酸化コバルト、酸化クロム、酸化マンガン、クロム鉄酸化物などの混合物を、それぞれ用いることができることが記載されている。
　そして、インクジェット用インクとして、赤、黄、青及び黒のインクをセットとして用いられるとは明らかである。
　そうすると、甲６には、次のインクジェット用インクセット（以下、「甲６発明」という。）が記載されていると認められる。なお、「赤色用の金属酸化物系顔料」は、単に「赤色用金属酸化物顔料」と記載した。
「微粉砕された赤、黄、青及び黒の各顔料をそれぞれ分散剤によって分散させた、フリットを含まない赤、黄、青及び黒のインクからなるインクジェット用インクセットであって、
　赤色用金属酸化物顔料として、酸化クロム−酸化スズ系顔料、
　黄色用金属酸化物顔料として、酸化クロム−酸化アンチモン系顔料、
　青色用金属酸化物顔料として、酸化コバルト、酸化銅、コバルト・アルミナ、
　黒色用金属酸化物顔料として、酸化イリジウム、酸化鉄、酸化ウラニウム、酸化コバルト、酸化クロム、酸化マンガン、クロム鉄酸化物などの混合物を用いた、
　インクジェット用インクセット」
第６　異議申立て理由についての当審の判断
　１　甲１を主たる引用例とした場合
　（１）本件発明１について
　ア　対比
　本件発明１と甲１発明とを対比する。
　（ア）甲１発明の「Ｙ（イエロー）インク」、「Ｃ（シアン）インク」及び「Ｋ（ブラック）インク」は、本件発明１の「黄色インク」、「青色インク」及び「黒色インク」にそれぞれ相当する。
　（イ）甲１発明の「Ｍ（マゼンタ）インク」及び「Ｒ（レッド）インク」は、いずれも赤色インクといえるから、本件発明１の「赤色インク」に相当する。
　（ウ）甲１発明の「Ｙ（イエロー）インク」に含まれる「プラセオジムイエロー」は、無機顔料であって、甲２によれば、「ジルコンプラセオジムイエロー」とも表現されることから（第４　２（２））、本件発明１の「無機顔料」に含まれる「黄色成分の」「ジルコンプラセオジムイエロー」に相当する。
　（エ）甲１発明の「Ｃ（シアン）インク」に含まれる「コバルトアルミニウムクロムブルー」は、無機顔料であって、本件発明１の「無機顔料」に含まれる「青色成分」の「コバルトアルミニウムクロムブルー」に相当する。
　（オ）甲１発明の「Ｋ（ブラック）インク」に含まれる「コバルトフェライトブラック」は、無機顔料であって、本件発明１の「無機顔料」に含まれる「黒色成分」の「コバルトフェライトブラック」に相当する。
　（カ）本件発明１の「赤色成分」に含まれる「無機顔料」と、甲１発明の「Ｍ（マゼンタ）インク」に含まれる「ゴールドパープル」及び「Ｒ（レッド）インク」に含まれる「カドミウムレッド」は、「無機顔料」である点で共通する。
　（キ）本件発明１の「溶媒」と、甲１発明の「純水」とは、「溶媒」である点で共通する。
　（ク）甲１発明の「インクジェット用インクセット」は、本件発明１の「インクジェット用インクセット」に相当する。
　（ケ）そうすると、本件発明１と甲１発明とは、
「無機顔料と溶媒とを含むインクからなり、
　前記無機顔料は、黄色成分と、赤色成分と、青色成分と、黒色成分とを含み、
　前記黄色成分は、ジルコンプラセオジウムイエローを含み、
　前記青色成分は、コバルトアルミクロムブルーを含み、
　前記黒色成分は、コバルトフェライトブラックを含み、
　前記黄色成分は黄色インクに含まれ、前記赤色成分は赤色インクに含まれ、前記青色成分は青色インクに含まれ、前記黒色成分は黒色インクに含まれる、インクジェット用インクセット」である点で共通し、次の点で相違が認められる。
（相違点１）
　インクに対する無機顔料の含有量について、本件発明１は「２０〜５０重量％」であるのに対し、甲１発明では、プラセオジムイエローは１０重量％、ゴールドパープルは２重量％、コバルトアルミニウムクロムブルーは１０重量％、カドミウムレッドは１０重量％、コバルトフェライトブラックは１０重量％、含まれる点。
（相違点２）
　赤色成分について、本件発明１は、「クロムスズマロン」を含むのに対し、甲１発明は、「ゴールドパープル」又は「カドミウムレッド」を含む点。
（相違点３）
　溶媒について、本件発明１は「有機溶剤であり、かつ、水を含んで」いないのに対し、甲１発明は、「純水」である点。
　イ　判断
　ここで、事案に鑑み、まず、相違点２について検討する。
　甲１の請求項１（第４　１（１））及び【００２０】（同（３））の「無機顔料を色材とするインクからなるインクジェット用インクセットであって、該インクセットの赤色成分がゴールドパープルからなるマゼンタインク及びカドミウムレッドからなるレッドインクの少なくとも２色のインクを含むことを特徴とするインクジェット用インクセット」という記載からみて、甲１発明において、「Ｍ（マゼンタ）インク」及び「Ｒ（レッド）インク」において、「ゴールドパープル」及び「カドミウムレッド」は、それぞれ必須の色材であって、「ゴールドパープル」及び「カドミウムレッド」に替えて、「クロムスズマロン」を用いる動機付けはない。
　また、甲１の【００８８】（同（１０））の「比較例２」には、実施例１において、マゼンタインクとしてクロムスズピンク、レッドインクとしてベンガラを用いることが記載されている。そして、甲１には、比較例２によって得られた記録物は、鮮明性に欠け（【００８９】【表１】（同（１１））、色が著しくくすみ、鮮明ではないものである（【００９０】【表２】同（１１））ことが示されている。なお、比較例２は、「Ｙ（イエロー）インク」の無機顔料として、「カドミウムイエロー」を用いたものである。
　そうすると、甲２（第４　２（１））、から、「クロムスズピンク」と「クロムスズマロン」とが同じものであるとしても、甲１に接した当業者は、マゼンタインクとしてクロムスズピンク、レッドインクとしてベンガラを用いたインクは、その記録物は鮮明ではないものとなることを理解するということができ、甲１発明において、「クロムスズピンク」ないし「クロムスズマロン」を用いることには、阻害要因があるということができる。
　また、甲３〜甲５には、甲１発明において、「クロムスズマロン」を用いることについての記載は見いだせない。
　そして、本件発明１は、黄色成分として「ジルコンプラセオジウムイエロー」、赤白成分として「クロムスズマロン」、青色成分として「コバルトアルミクロムブルー」及び黒色成分として「コバルトフェライトブラック」をインクセットのそれぞれのインクに含むことによって、発色性が良好になるという（本件明細書【００７８】）、甲１発明からは予測し得ない顕著な作用効果を奏するものであり、当該作用効果は、実施例１、２において確認されている（本件明細書【００７７】【表１】）。
　したがって、上記相違点１、３について検討するまでもなく、本件発明１は、甲１発明及び甲第３〜５号証の記載事項に基いて、当業者が容易に発明をすることができたものである、とすることはできない。
　ウ　申立人の主張について
　申立人は、特許異議申立書において本件発明１と甲１発明との一致点として、次のものを主張している（特許異議申立書４２頁６〜１６行）。
「（１−Ａ）無機顔料と溶媒とを含むインクからなり、
（１−Ｂ）前記無機顔料は、黄色成分と、赤色成分と、青色成分と、黒色成分とを含み、
（１−Ｃ）前記黄色成分は、ジルコンプラセオジウムイエローを含み、
（１−Ｄ）前記赤色成分は、クロムスズマロンを含み、
（１−Ｅ）前記青色成分は、コバルトアルミクロムブルーを含み、
（１−Ｆ）前記黒色成分は、コバルトフェライトブラックを含み、
（１−Ｉ）前記黄色成分は黄色インクに含まれ、前記赤色成分は赤色インクに含まれ、前記青色成分は青色インクに含まれ、前記黒色成分は黒色インクに含まれる、
（１−Ｊ）インクジェット用インクセット。」
　しかしながら、甲１の記載において、赤色成分としてクロムスズマロンを含むものは比較例２であり、黄色成分としてジルコンプラセオジウムイエローを含むものは実施例２であって、赤色成分としてクロムスズマロンを含み、黄色成分としてジルコンプラセオジウムイエローを含むインクセットは、甲１には記載されているとはいえず、申立人の主張するような上記一致点を認定することはできない。
　（２）本件発明２〜４及び本件発明１を直接的又は間接的に引用する請求項６〜８について
　本件発明２〜４及び本件発明１を直接的又は間接的に引用する請求項６〜８は、本件発明１を直接的又は間接的に引用し、さらに限定するものであるから、これらの発明は、本件発明１と同様に、甲１発明及び甲第３〜５号証の記載事項に基いて、当業者が容易に発明することができたものである、とすることはできない。
　（３）本件発明５について
　ア　対比
　本件発明５と甲１発明とを対比すると、上記（１）アの本件発明１と甲１発明との対比から明らかなように、本件発明５と甲１発明とは、
「無機顔料と溶媒とを含むインクからなり、
　前記無機顔料は、黄色成分と、赤色成分と、青色成分と、黒色成分とを含み、
　前記黄色成分は、ジルコンプラセオジウムイエローを含み、
　前記青色成分は、コバルトアルミクロムブルーを含み、
　前記黒色成分は、コバルトフェライトブラックを含む、インクジェット用インクセット」である点で一致し、次の点で相違が認められる。
（相違点５−１）
　赤色成分について、本件発明１は、「クロムスズマロン」を含むのに対し、甲１発明は、「ゴールドパープル」又は「カドミウムレッド」を含む点。
（相違点５−２）
　インクセットについて、甲１発明は「Ｙ（イエロー）インク」、「Ｍ（マゼンタ）インク」、「Ｃ（シアン）インク」、「Ｒ（レッド）インク」及び「Ｋ（ブラック）インク」からなるのに対し、本件発明５では、このような特定はされていない点。
　イ　判断
　ここで、事案に鑑み、相違点５−１について検討すると、上記相違点５−１は実質的な相違点であり、本件発明５は、甲１発明であるとはいえない。
　また、上記（１）イで相違点２について述べたように、甲１発明において、赤色成分として「クロムスズピンク」ないし「クロムスズマロン」を用いることは、当業者が容易に想到し得るものではなく、相違点５−２の容易想到性について検討するまでもなく、本件発明５は、甲１発明に基いて、当業者が容易に発明をすることができたものである、とすることはできない。
　（４）本件発明５を直接的又は間接的に引用する請求項６〜８について
　本件発明５を直接的又は間接的に引用する請求項６〜８は、本件発明５を直接的又は間接的に引用し、さらに限定するものであるから、これらの発明は、本件発明５と同様に、甲１発明及び甲第３〜５号証の記載事項に基いて、当業者が容易に発明することができたものである、とすることはできない。
　（５）まとめ
　以上のとおり、申立人の甲１を主たる引用例とした、特許法第２９条第１項第３号及び同条第２項に係る申立理由には、理由がない。
　２　甲３を主たる引用例とした場合
　（１）本件発明１について
　ア　対比
　本件発明１と甲３発明とを対比する。
　（ア）甲３発明の「黄色インク」、「赤色のインク」、「青色インク」、「黒色インク」及び「インクジェット用インクセット」は、本件発明１の「黄色インク」、「赤色のインク」、「青色インク」、「黒色インク」及び「インクジェット用インクセット」にそれぞれ相当する。
　（イ）甲３発明の「黄成分」、「マゼンタ成分」、「ブルー成分」及び「黒成分」は、本件発明１の「無機顔料」に含まれる「黄色成分」、「赤色成分」、「青色成分」及び「黒色成分」にそれぞれ相当する。
　（ウ）甲３発明の「熱可塑性メジウム」は、本件発明１の「溶媒」に相当する。
　（エ）そうすると、本件発明１と甲３発明とは、
「無機顔料と溶媒とを含むインクからなり、
　前記無機顔料は、黄色成分と、赤色成分と、青色成分と、黒色成分とを含み、
　前記黄色成分は黄色インクに含まれ、前記赤色成分は赤色インクに含まれ、前記青色成分は青色インクに含まれ、前記黒色成分は黒色インクに含まれる、インクジェット用インクセット」である点で共通し、次の点で相違が認められる。
（相違点Ａ−１）
　インクに対する無機顔料の含有量について、本件発明１は「２０〜５０重量％」であるのに対し、甲３発明では、「黄成分」、「マゼンタ成分」、「ブルー成分」及び「黒成分」の含有量は規定されていない点。
（相違点Ａ−２）
　黄色成分と、赤色成分と、青色成分と、黒色成分について、本件発明１は、「ジルコンプラセオジウムイエロー」、「クロムスズマロン」、「コバルトアルミクロムブルー」及び「コバルトフェライトブラック」をそれぞれ含むのに対し、甲３発明の「黄成分」、「マゼンタ成分」、「ブルー成分」及び「黒成分」は、そのような規定はされていない点。
（相違点Ａ−３）
　溶媒について、本件発明１は「有機溶剤であり、かつ、水を含んで」いないのに対し、甲３発明の「熱可塑性メジウム」はそのようなものであるかどうか不明である点。
　イ　判断
ここで、事案に鑑み、まず、相違点Ａ−２について検討する。
　本件発明１の「ジルコンプラセオジウムイエロー」、「クロムスズマロン」、「コバルトアルミクロムブルー」及び「コバルトフェライトブラック」は、いずれも特定の組成の無機顔料を示すものである。
　一方、甲３発明の「黄成分」、「マゼンタ成分」、「ブルー成分」及び「黒成分」には、非常に多くの無機顔料が包含されるところ、甲３には、「ジルコンプラセオジウムイエロー」、「クロムスズマロン」、「コバルトアルミクロムブルー」及び「コバルトフェライトブラック」について、具体的に言及した記載はなく、しかも、甲３には、本件発明１の「ジルコンプラセオジウムイエロー」、「クロムスズマロン」、「コバルトアルミクロムブルー」及び「コバルトフェライトブラック」の組み合わせを選択することについては、記載も示唆もない。
　また、甲１、６、９にも、そのような組み合わせを示す記載を見いだすことはできず、甲３発明において、これらの顔料の組み合わせを選択する動機付けがあるとはいえない。
　そして、上記１（１）イで述べたように、本件発明１は、黄色成分として「ジルコンプラセオジウムイエロー」、赤色成分として「クロムスズマロン」、青色成分として「コバルトアルミクロムブルー」及び黒色成分として「コバルトフェライトブラック」をインクセットのそれぞれのインクに含むことによって、発色性が良好になるという、甲３発明からは予測し得ない顕著な作用効果を奏するものであり、相違点Ａ−１、Ａ−３について検討するまでもなく、本件発明１は、甲３発明及び甲第１、６、９号証の記載事項に基いて、当業者が容易に発明をすることができたものである、とすることはできない。
　（２）本件発明２〜４及び本件発明１を直接的又は間接的に引用する請求項６〜８について
　本件発明２〜４及び本件発明１を直接的又は間接的に引用する請求項６〜８は、本件発明１を直接的又は間接的に引用し、さらに限定するものであるから、これらの発明は、本件発明１と同様に、甲３発明及び甲第１、６、９号証の記載事項に基いて、当業者が容易に発明することができたものである、とすることはできない。
　（３）本件発明５について
　ア　対比
　本件発明５と甲３発明とを対比すると、上記（２）アの本件発明１と甲３発明との対比から明らかなように、本件発明５と甲３発明とは、
「無機顔料と溶媒とを含むインクからなり、
　前記無機顔料は、黄色成分と、赤色成分と、青色成分と、黒色成分とを含む、インクジェット用インクセット」である点で一致し、次の点で相違が認められる。
（相違点Ａ−５−１）
　黄色成分と、赤色成分と、青色成分と、黒色成分について、本件発明１は、「ジルコンプラセオジウムイエロー」、「クロムスズマロン」、「コバルトアルミクロムブルー」及び「コバルトフェライトブラック」をそれぞれ含むのに対し、甲３発明の「黄成分」、「マゼンタ成分」、「ブルー成分」及び「黒成分」は、そのような規定はされていない点。
（相違点Ａ−５−２）
　インクセットについて、甲３発明は「黄色インク、「赤色インク」、「青色インク」及び「黒色インク」からなるのに対して、本件発明５では、このような特定はされていない点。
　イ　判断
　ここで、事案に鑑み、相違点Ａ−５−１について検討すると、上記（２）イで相違点Ａ−２について述べたように、甲３発明において、甲３には、本件発明１の「ジルコンプラセオジウムイエロー」、「クロムスズマロン」、「コバルトアルミクロムブルー」及び「コバルトフェライトブラック」の組み合わせを選択することについては、記載も示唆もなく、また、甲３発明において、この組み合わせを選択する動機付けの存在を見いだすことはできないことから、相違点Ａ−５−２について検討するまでもなく、本件発明５は、甲３発明及び甲第１、９号証の記載事項に基いて、当業者が容易に発明をすることができたものである、とすることはできない。
　（４）本件発明５を直接的又は間接的に引用する請求項６〜８について
　本件発明５を直接的又は間接的に引用する請求項６〜８は、本件発明５を直接的又は間接的に引用し、さらに限定するものであるから、これらの発明は、本件発明５と同様に、甲３発明及び甲第１、９号証の記載事項に基いて、当業者が容易に発明することができたものである、とすることはできない。
　（５）まとめ
　以上のとおり、申立人の甲３を主たる引用例とした、特許法第２９条第２項に係る申立理由には、理由がない。
　３　甲６を主たる引用例とした場合
　（１）本件発明１について
　ア　対比
　本件発明１と甲６発明とを対比する。
　（ア）甲６発明の「黄のインク」、「赤のインク」、「青のインク」、「黒のインク」及び「インクジェット用インクセット」は、本件発明１の「黄色インク」、「赤色のインク」、「青色インク」、「黒色インク」及び「インクジェット用インクセット」にそれぞれ相当する。
　（イ）甲６発明の「黄色用金属酸化物顔料」、「赤色用金属酸化物顔料」、「青色用金属酸化物顔料」及び「黒色用金属酸化物顔料」は、本件発明１の「無機顔料」に含まれる「黄色成分」、「赤色成分」、「青色成分」及び「黒色成分」にそれぞれ相当する。
　（ウ）甲６発明の「分散剤」は、甲６の【００４３】（第４　４（２））には、「水溶性有機溶媒」が例示されているから、本件発明１の「溶媒」に相当する。
　（エ）そうすると、本件発明１と甲６発明とは、
「無機顔料と溶媒とを含むインクからなり、
　前記無機顔料は、黄色成分と、赤色成分と、青色成分と、黒色成分とを含み、
　前記黄色成分は黄色インクに含まれ、前記赤色成分は赤色インクに含まれ、前記青色成分は青色インクに含まれ、前記黒色成分は黒色インクに含まれる、インクジェット用インクセット」である点で共通し、次の点で相違が認められる。
（相違点Ｂ−１）
　インクに対する無機顔料の含有量について、本件発明１は「２０〜５０重量％」であるのに対し、甲６発明では、「黄色用金属酸化物顔料」、「赤色用金属酸化物顔料」、「青色用金属酸化物顔料」及び「黒色用金属酸化物顔料」の含有量は規定されていない点。
（相違点Ｂ−２）
　黄色成分と、赤色成分と、青色成分と、黒色成分について、本件発明１は、「ジルコンプラセオジウムイエロー」、「クロムスズマロン」、「コバルトアルミクロムブルー」及び「コバルトフェライトブラック」をそれぞれ含むのに対し、甲６発明の「黄色用金属酸化物顔料」、「赤色用金属酸化物顔料」、「青色用金属酸化物顔料」及び「黒色用金属酸化物顔料」は、そのような規定はされていない点。
（相違点Ｂ−３）
　溶媒について、本件発明１は「有機溶剤であり、かつ、水を含んで」いないのに対し、甲６発明の「分散剤」はそのようなものであるかどうか不明である点。
　イ　判断
ここで、事案に鑑み、まず、相違点Ｂ−２について検討する。
　本件発明１の「ジルコンプラセオジウムイエロー」、「クロムスズマロン」、「コバルトアルミクロムブルー」及び「コバルトフェライトブラック」は、いずれも特定の組成の無機顔料を示すものである。
　一方、甲６発明の「酸化クロム−酸化スズ系顔料」、「酸化クロム−酸化アンチモン系顔料」、「酸化コバルト、酸化銅、コバルト・アルミナ」及び「酸化イリジウム、酸化鉄、酸化ウラニウム、酸化コバルト、酸化クロム、酸化マンガン、クロム鉄酸化物などの混合物」には、非常に多くの顔料が包含されるところ、甲６の【００３７】（第４　４（２））には、黄色用金属酸化物顔料として「ジルコンプラセオジウム（イエロー）」が例示されているとしても、甲６には、「クロムスズマロン」、「コバルトアルミクロムブルー」及び「コバルトフェライトブラック」については具体的な例示があるとはいえない。
　そして、甲７、８の記載から、「コバルトアルミクロムブルー」が、本願出願前によく知られている青色顔料であるといえたとしても、甲６発明において、青色用顔料として具体的にどの顔料を用いればいいのかについては記載がなく、青色用顔料として「コバルトアルミクロムブルー」を選択し、本件発明１の顔料の組み合わせのものとする動機付けがあるということはできない。
　また、甲３〜甲５には、甲６発明において、「ジルコンプラセオジウムイエロー」、「クロムスズマロン」、「コバルトアルミクロムブルー」及び「コバルトフェライトブラック」の組み合わせを選択することについての記載は見いだせない。
　そして、上記１（１）イで述べたように、本件発明１は、黄色成分として「ジルコンプラセオジウムイエロー」、赤色成分として「クロムスズマロン」、青色成分として「コバルトアルミクロムブルー」及び黒色成分として「コバルトフェライトブラック」をインクセットのそれぞれのインクに含むことによって、発色性が良好になるという、甲６発明からは予測し得ない顕著な作用効果を奏するものであり、相違点Ｂ−１、Ｂ−３について検討するまでもなく、本件発明１は、甲６発明及び甲第３〜５、７，８号証の記載事項に基いて、当業者が容易に発明をすることができたものである、とすることはできない。
　（２）本件発明２〜４及び本件発明１を直接的又は間接的に引用する請求項６〜８について
　本件発明２〜４及び本件発明１を直接的又は間接的に引用する請求項６〜８は、本件発明１を直接的又は間接的に引用し、さらに限定するものであるから、これらの発明は、本件発明１と同様に、甲６発明及び甲第３〜５、７，８号証の記載事項に基いて、当業者が容易に発明することができたものである、とすることはできない。
　（３）本件発明５について
　ア　対比
　本件発明５と甲６発明とを対比すると、上記（２）アの本件発明１と甲６発明との対比から明らかなように、本件発明５と甲６発明とは、
「無機顔料と溶媒とを含むインクからなり、
　前記無機顔料は、黄色成分と、赤色成分と、青色成分と、黒色成分とを含む、インクジェット用インクセット」である点で一致し、次の点で相違が認められる。
（相違点Ｂ−５−１）
　黄色成分と、赤色成分と、青色成分と、黒色成分について、本件発明１は、「ジルコンプラセオジウムイエロー」、「クロムスズマロン」、「コバルトアルミクロムブルー」及び「コバルトフェライトブラック」をそれぞれ含むのに対し、甲６発明の「黄色用金属酸化物顔料」、「赤色用金属酸化物顔料」、「青色用金属酸化物顔料」及び「黒色用金属酸化物顔料」は、そのような規定はされていない点。
（相違点Ｂ−５−２）
　インクセットについて、甲６発明は「黄のインク」、「赤のインク」、「青のインク」及び「黒のインク」からなるのに対して、本件発明５では、このような特定はされていない点。
　イ　判断
　ここで、事案に鑑み、相違点Ｂ−５−１について検討すると、上記（２）イで相違点Ｂ−２について述べたように、甲６発明において、甲６には、本件発明１の「ジルコンプラセオジウムイエロー」、「クロムスズマロン」、「コバルトアルミクロムブルー」及び「コバルトフェライトブラック」の組み合わせを選択することについては、記載も示唆もなく、また、甲６発明において、この組み合わせを選択する動機付けの存在を見いだすことはできないことから、相違点Ｂ−５−２について検討するまでもなく、本件発明５は、甲６発明及び第７、８号証の記載事項に基いて、当業者が容易に発明をすることができたものである、とすることはできない。
　（４）本件発明５を直接的又は間接的に引用する請求項６〜８について
　本件発明５を直接的又は間接的に引用する請求項６〜８は、本件発明５を直接的又は間接的に引用し、さらに限定するものであるから、これらの発明は、本件発明５と同様に、甲６発明及び第７、８号証の記載事項に基いて、当業者が容易に発明することができたものである、とすることはできない。
　（５）まとめ
　以上のとおり、申立人の甲６を主たる引用例とした、特許法第２９条第２項に係る申立理由には、理由がない。
　４　甲１と甲６の組み合わせに基づく場合
　上記１及び２で検討したとおり、甲１を主たる引用例とした場合及び甲６を主たる引用例とした場合のいずれも特許法第２９条第２項に係る申立理由には理由がないから、申立人が主張する甲１及び甲６の組み合わせに基づく特許法第２９条第２項に係る申立理由にも理由がないことは明らかである。
第６　むすび
　以上のとおり、特許異議の申立ての理由及び証拠によっては、本件発明１〜８に係る特許を取り消すことはできない。
　また、他に本件発明１〜８に係る特許を取り消すべき理由を発見しない。
　よって、結論のとおり決定する。
【異議決定日】
令和２年７月２２日（２０２０．７．２２）